(57)【要約】【課題】キー入力の煩わしさを解消して操作性を向上させた携帯電話機と携帯電話機の入力方法を提供する。【解決手段】本発明のカード型の携帯電話機１０において、ディスプレイ３に従来のテンキーのような仮名五十音図の１０行５段の配列に対応した「あ」段から「わ」段の複数の文字段キーが表示され、スクロールボタン２が操作されて反転カーソルが所望の文字段キーに移動され、入力キー１が押下されることにより文字段キーが決定される。決定された文字段キーに配列される複数の文字に対応する複数の文字キーがディスプレイ３に表示され、スクロールボタン２が操作されて反転カーソルが所望の文字キーに移動され、入力キー１が押下されることにより当該文字キーに対応する文字が入力される。【選択図】図１
2008054262.tif 000002
【特許請求の範囲】
【請求項１】
電話機能と通信機能とを有する携帯電話機であって、
クレジットカードや名刺などとほぼ同等の縦横寸法の筐体と、
この筐体に設けられ、文字情報と画像情報を表示する表示部と、
この表示部に表示される文字情報を選択する選択手段と、
この選択手段で選択された文字情報を入力する１個の入力キーと、
上記電話機能を実行するための送受話手段を接続する接続手段と、
を具備したことを特徴とする携帯電話機。
【請求項２】
電話機能を有せず通信機能を有する携帯電話機であって、
クレジットカードや名刺などとほぼ同等の縦横寸法の筐体と、
この筐体に設けられ、文字情報と画像情報を表示する表示部と、
この表示部に表示される文字情報を選択する選択手段と、
この選択手段で選択された文字情報を入力する１個の入力キーと、
を具備したことを特徴とする携帯電話機。
【請求項３】
１個の入力キーと表示部と、この表示部に表示される複数のキーのうちの１つを選択する選択手段とを有し、クレジットカードや名刺などとほぼ同等の縦横寸法の携帯電話機の入力方法であって、
仮名五十音図の１０行５段の配列に対応した「あ」段から「わ」段までの文字段に対応する複数の文字段キーが上記表示部に表示され、
この表示部に表示された複数の文字段キーのうちの１つが上記選択手段で選択された際、上記入力キーが押下されることにより当該文字段キーに対応する文字段に配列された複数の文字に対応する複数の文字キーが上記表示部に表示され、
この表示部に表示された複数の文字キーのうちの１つが上記選択手段で選択された際、上記入力キーが押下されることにより当該文字キーに対応する文字が入力されることを特徴とする携帯電話機の入力方法。
【請求項４】
上記文字は、ひらがな、片仮名、英字のいずれか１つであることを特徴とする請求項３に記載の携帯電話機の入力方法。
【請求項５】
１個の入力キーと表示部と、この表示部に表示される複数のキーのうちの１つを選択する選択手段とを有し、クレジットカードや名刺などとほぼ同等の縦横寸法の携帯電話機の入力方法であって、
上記表示部に表示された１から９及び０に対応する数字キーのうちの１つが上記選択手段で選択された際、上記入力キーが押下されることにより当該数字キーの数字が入力されることを特徴とする携帯電話機の入力方法。
【請求項６】
１個の入力キーと表示部と、この表示部に表示される複数のキーのうちの１つを選択する選択手段とを有し、クレジットカードや名刺などとほぼ同等の縦横寸法の携帯電話機の入力方法であって、
全ての英字が複数のグループに分けられて各グループに対応する複数の英字グループキーが上記表示部に表示され、
この表示部に表示された複数の英字グループキーのうちの１つが上記選択手段で選択された際、上記入力キーが押下されることにより当該英字グループキーに対応する英字グループを構成する複数の英字に対応する複数の英字キーが上記表示部に表示され、
この表示部に表示された複数の英字キーのうちの１つが上記選択手段で選択された際、上記入力キーが押下されることにより当該英字キーに対応する英字が入力されることを特徴とする携帯電話機の入力方法。
【請求項７】
上記携帯電話機は、電話機能と通信機能とを有する携帯電話機か、電話機能を有せず通信機能を有する携帯電話機かのいずれかであることを特徴とする請求項３，４，５，６に記載の携帯電話機の入力方法。
【発明の詳細な説明】
【技術分野】
【０００１】  この発明は、文字入力するための携帯電話機と携帯電話機の入力方法に関する。
【背景技術】
【０００２】  従来、携帯電話機では１２個ほどのキーに、数字、かな文字、英字を設定し、入力モードを切り替えるモードキーを用いてモード変更し、数字入力モード、かな入力モード、英字入力モード等に切り替えて入力している。
このような携帯電話機では、キーが小さい上に何回もキーを押さなければならないので指の疲労が激しく、キーが小さいこともあって例えば高齢者も敬遠するものとなっている。
携帯電話機では特にキー打鍵回数が多くなり入力操作性が悪いということでキー数を少なくして入力するキー入力方法が提案されている（例えば特許文献１）。
しかしながら、それでも複数のキーを操作しなければならないので煩わしさは解消されず操作性が悪いという課題があった。
【特許文献１】  特許公開２００５−４５００号公報
【発明の開示】
【発明が解決しようとする課題】
【０００３】  上記したように、携帯電話機ではキーが小さい上に複数のキーを複数回打鍵しなければならないので煩わしく操作性が悪いという課題があった。
この発明の目的は、キー入力の煩わしさを解消して操作性を向上させた携帯電話機と携帯電話機の入力方法を提供することである。
【課題を解決するための手段】
【０００４】  本発明によれば、電話機能と通信機能とを有する携帯電話機であって、クレジットカードや名刺などとほぼ同等の縦横寸法の筐体と、この筐体に設けられ、文字情報と画像情報を表示する表示部と、この表示部に表示される文字情報を選択する選択手段と、この選択手段で選択された文字情報を入力する１個の入力キーと、上記電話機能を実行するための送受話手段と接続する接続手段とを具備したことを特徴とする携帯電話機が提供される。
また、本発明によれば、１個の入力キーと表示部と、この表示部に表示される複数のキーのうちの１つを選択する選択手段とを有し、クレジットカードや名刺などとほぼ同等の縦横寸法の携帯電話機の入力方法であって、仮名五十音図の１０行５段の配列に対応した「あ」段から「わ」段までの文字段に対応する複数の文字段キーが上記表示部に表示され、この表示部に表示された複数の文字段キーのうちの１つが上記選択手段で選択された際、上記入力キーが押下されることにより当該文字段キーに対応する文字段に配列された複数の文字に対応する複数の文字キーが上記表示部に表示され、この表示部に表示された複数の文字キーのうちの１つが上記選択手段で選択された際、上記入力キーが押下されることにより当該文字キーに対応する文字が入力されることを特徴とする携帯電話機の入力方法が提供される。
【発明の効果】
【０００５】  本発明の携帯電話機と携帯電話機の入力方法は、従来のような１２個ほどのキーを用いることなく、１個のキーを用いてキー入力の煩わしさを解消して操作性を向上させた文字入力をすることが可能となる。
【発明を実施するための最良の形態】
【０００６】  以下、図面を参照して、この発明の実施の形態について詳細に説明する。
図１は、この発明に係る携帯電話機１０の外観構成を示すものである。すなわち、この携帯電話機１０は、クレジットカードや名刺等とほぼ同等の縦横サイズのカード型であり、従来のテンキーに代わる入力キー１が１個だけ設けられている。また、入力キー１の周りには、詳しくは後述するが選択手段として反転表示のカーソルを移動させるスクロールボタン２が設けられている。このスクロールボタン２は、２ａの方向に押されるとディスプレイ３に表示された反転表示のカーソルが上方向に移動され、２ｂの方向に押されるとディスプレイ３に表示された反転表示のカーソルが下方向に移動され、２ｃの方向に押されるとディスプレイ３に表示された反転表示のカーソルが左方向に移動され、２ｄの方向に押されるとディスプレイ３に表示された反転表示のカーソルが右方向に移動される。【０００７】  さらに、携帯電話機１０は、ディスプレイ３、開始ボタン４、電源／終了ボタン５を有している。
なお、携帯電話機１０における入力キー１、スクロールボタン２、開始ボタン４、電源／終了ボタン５を電卓などに使用されているフィルム状のスイッチで構成するようにしても良い。
また、携帯電話機１０は、ディスプレイ３が液晶、エレクトロルミネッセンス等の薄型表示部品で構成され、使用される薄型表示部品に応じて限りなくクレジットカードに近い薄型（厚さ）にすることが可能となっている。
さらに、携帯電話機１０には本体側面に接続手段としてのイヤホンマイク端子６が設けられている。携帯電話機１０は本体側面のイヤホンマイク端子６に送受話手段としてのイヤホンマイクを接続して電話機能としての通話を行う。
また、携帯電話機１０は、接続手段としてのイヤホンマイク端子６を設けず通話としての電話機能のない通信機能専用機としても良い。
なお、図１に示す携帯電話機１０ではディスプレイ３を横長の構成としたが、従来の携帯電話機のように縦長の構成としても良く、以下の説明では従来の携帯電話機のように縦長のディスプレイ３を用いた構成で説明する。【０００８】  次に、このような構成において携帯電話機１０の入力方法について説明する。
例えば、ディスプレイ３には、待ち受け画面の際、入力キー１が押下されることによりメニュー画面が表示される。メニュー画面からスクロールボタン２を操作することにより「文字入力選択」が選択され、入力キー１が押下されることにより「文字入力選択」が決定される。【０００９】  図２は、ディスプレイ３に表示されたメニュー画面例であり、スクロールボタン２の操作により「文字入力選択」が選択された状態を示している。【００１０】  図３は、入力キー１が押下されることにより「文字入力選択」が決定された際のディスプレイ３の表示を示すもので、ここでは「漢字（ひらがな）」が選択されている。ここで、入力キー１が押下されることにより「漢字（ひらがな）」が決定されたものとする。これで本携帯電話機１０は、漢字（ひらがな）の入力状態となる。【００１１】  図４は、ディスプレイ３に表示された漢字（ひらがな）の入力画面例である。ディスプレイ３には、従来のテンキーのように仮名五十音図の１０行５段の配列に対応した「あ」段から「わ」段の複数の文字段キーが表示される。すなわち、上段の左から「あ」、「か」、「さ」、次段に「た」、「な」、「は」、次々段に「ま」、「や」、「ら」、下段に「点、丸」、「わをん」、「記号」の各キーが表示される。この際、反転カーソルは、「な」キーに置かれている。
そこで、希望する文字が「け」の場合、スクロールボタン２の２ａを操作して反転カーソルを「か」段に移動させ、入力キー１を押下して決定する。【００１２】  図５は、「か」段が決定されたディスプレイ３の表示画面例である。この際、反転カーソルは、「か」キーに置かれている。そこで、スクロールボタン２の２ｄを操作して反転カーソルを「け」キーに移動させ、入力キー１を押下することにより文字「け」が入力される。【００１３】  図６は、文字「け」が入力されたディスプレイ３の表示例を示すもので、上部に文字「け」が表示され、次の文字入力のための仮名五十音図の１０行５段の配列に対応した「あ」段から「わ」段の複数の文字段キーが表示される。
このような操作を繰り返すことにより、たった１個の入力キー１により漢字（ひらがな）入力が可能となる。なお、従来のように、ひらがな入力の際、変換候補を表示するようにしても良い。【００１４】  図７は、図３で示した「数字」が選択された際のディスプレイ３の表示例を示すものである。ディスプレイ３には、従来のテンキーのように、上段の左から「１」、「２」、「３」、次段に「４」、「５」、「６」、次々段に「７」、「８」、「９」、下段に「＊」、「０」、「＃」の各キーが表示される。この際、反転カーソルは、「５」キーに置かれる。反転カーソルがスクロールボタン２で移動されることにより数字が選択され、入力キー１を押下することにより数字が入力される。【００１５】  図８は、図３で示した「英字」が選択された際のディスプレイ３の表示例を示すものである。ディスプレイ３には、従来のテンキーのように、上段の左から「＠」、「ＡＢＣ」、「ＤＥＦ」、次段に「ＧＨＩ」、「ＪＫＬ」、「ＭＮＯ」、次々段に「ＰＱＲＳ」、「ＴＵＶ」、「ＷＸＹＺ」、下段に「＊」、「０」、「＃」の各キーが表示される。この際、反転カーソルは、「ＪＫＬ」キーに置かれる。【００１６】  この「ＪＫＬ」キーが選択決定された場合、図９に示すように「Ｊ」、「Ｋ」、「Ｌ」の各キーが表示され、「Ｊ」キーに置かれた反転カーソルがスクロールボタン２で移動されることにより英字が選択され、入力キー１を押下することにより英字が入力される。【００１７】  以上説明したように上記発明の実施の形態によれば、携帯電話機において、たった１個のキーを用いるだけで数字、漢字（ひらがな）、英字を入力することが可能となり、操作性を向上させることができる。
なお、上記実施の形態では、スクロールボタンを用いて上下左右に反転カーソルを移動させたが、上下のみ、あるいは左右のみに反転カーソルを移動させるようにしても良い。この場合、図４に示すような表示ではなく上下移動ならば上下に文字段を並べ、左右移動ならば左右に文字段を並べるようにする。【００１８】  また、スクロールボタンは上下左右に反転表示のカーソルが移動されるように４つの方向ボタン、上下のみあるいは左右のみならば２つの方向ボタンを設けるようにしても良い。
さらにスクロールボタンではなく、ダイヤルを用いた選択、あるいはディスプレイ上に設けられた透明電極を押下することにより選択するようにしても良い。要は、ディスプレイ上に表示された複数のキーが選択できれば良い。【００１９】  なお、本願発明は、上記実施形態に限定されるものではなく、実施段階ではその要旨を逸脱しない範囲で種々に変形することが可能である。また、実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００２０】
【図１】本発明の実施の形態が適用可能な携帯電話機の一例を示す外観図。
【図２】携帯電話機のディスプレイの表示例を示す図。
【図３】携帯電話機のディスプレイの表示例を示す図。
【図４】携帯電話機のディスプレイの表示例を示す図。
【図５】携帯電話機のディスプレイの表示例を示す図。
【図６】携帯電話機のディスプレイの表示例を示す図。
【図７】携帯電話機のディスプレイの表示例を示す図。
【図８】携帯電話機のディスプレイの表示例を示す図。
【図９】携帯電話機のディスプレイの表示例を示す図。
【符号の説明】
【００２１】  １…入力キー、２…スクロールボタン（選択手段）、３…ディスプレイ（表示部）、４…開始ボタン、５…電源／終了ボタン、６…イヤホンマイク端子（接続手段）、１０…携帯電話機。
【図１】
2008054262.tif 000003
【図２】
2008054262.tif 000004
【図３】
2008054262.tif 000005
【図４】
2008054262.tif 000006
【図５】
2008054262.tif 000007
【図６】
2008054262.tif 000008
【図７】
2008054262.tif 000009
【図８】
2008054262.tif 000010
【図９】
2008054262.tif 000011